(57)【要約】【課題】少ない突起数であっても（密度を下げて設けたとしても）ほどよく確実に毛髪キャッチすると共に頭からの取り外しが簡単であり、頭部に突起が刺さらず取り付けたまま睡眠ができるヘアカーラーを提供することを目的とする。【解決手段】円筒本体１の円周表面上に複数の突起２を備えたヘアカーラーであって、突起２は、右角突起２０と左角突起２１の一組からなり、右角突起２０の先端と左角突起２１の先端が向かい合うことを特徴とする。【選択図】図１
2017006397.tif 000002
【特許請求の範囲】
【請求項１】
円筒本体（１）の円周表面上に複数の突起（２）を備えたヘアカーラーであって、
突起（２）は、右角突起（２０）と左角突起（２１）の一組からなり、
右角突起（２０）の先端と左角突起（２１）の先端が向かい合うことを
特徴とするヘアカーラー。
【請求項２】
円筒本体（１）の円周表面を斜め格子とし、円筒本体（１）が弯曲可能であること
を特徴とする請求項１記載のヘアカーラー。
【請求項３】
円周表面の斜め格子中に、少なくとも１箇所以上の直角補強部（１０）を備えること
を特徴とする請求項２記載のヘアカーラー。
【請求項４】
円筒本体（１）の内径が５ｍｍ〜２５ｍｍであり、
突起（２）は、６０°〜１８０°毎の間隔で設けられていること
を特徴とする請求項３に記載のヘアカーラー。
【請求項５】
円筒本体（１）の内径が２５ｍｍ〜４０ｍｍであり、
突起（２）は、１５°〜６０°毎の間隔で設けられていること
を特徴とする請求項３に記載のヘアカーラー。
【請求項６】
円筒本体（１）の厚みを０．５ｍｍ〜２．０ｍｍとし
円筒本体（１）の一端の円周表面に雄部（１１）を設けると共に、
円筒本体（１）のもう一端の円周表面に雌部（１２）を設け、
雄部（１１）側の径を雌部（１２）の径よりも小さいものとし、
雌部（１２）側の円筒内に雄部（１１）の円筒を挿入すると共に、
雄部（１１）が雌部（１２）内に嵌合することによって両端が接続固定され、
円筒本体（１）を輪形状にできるものとしたこと
を特徴とする請求項４に記載のヘアカーラー。
【発明の詳細な説明】
【技術分野】
【０００１】
本発明は、毛髪を巻きつけることにより、頭にセットして使用することのできるヘアカーラーに関するものである。
【背景技術】
【０００２】
従来のヘアカーラーとして、筒状の芯体の円周表面に、多数の垂直突起を設けたものが知られている。（例えば特許文献１）
【０００３】
垂直突起を用いたヘアカーラーは、垂直突起一つが毛髪キャッチする可能性が低い為、芯体の円周表面に高い密度で垂直突起を設ける必要があった。そして、高い密度で設けた垂直突起は取り外す時に毛髪が絡まってしまうので、ヘアカーラー使用者は慎重な作業を強いられるものであった。
また、垂直突起を用いたヘアカーラーは、長時間ヘアセットする為に睡眠時に使用しようとすると、垂直突起が頭皮を刺激して痛いものであった。
【先行技術文献】
【特許文献】
【０００４】
【特許文献１】特開２００６−１４１７５３号公報
【発明の概要】
【発明が解決しようとする課題】
【０００５】
そこでこの発明は、少ない突起数であっても（密度を下げて設けたとしても）ほどよく確実に毛髪キャッチすると共に頭からの取り外しが簡単なヘアカーラーを提供するものである。また、このヘアカーラーは頭部に突起が刺さらず取り付けたまま睡眠ができるヘアカーラーである。
【課題を解決するための手段】
【０００６】
上記目的を達成するために本件発明は以下の手段を用いた。
（請求項１記載の発明）
請求項１記載のヘアカーラーは、円筒本体の円周表面上に複数の突起を備えたヘアカーラーであって、突起は、右角突起と左角突起の一組からなり、右角突起の先端と左角突起の先端が向かい合うことを特徴とする。
（請求項２記載の発明）
請求項２記載のヘアカーラーは、請求項１記載のヘアカーラーにおいて、円筒本体の円周表面を斜め格子とし、円筒本体が弯曲可能であることを特徴とする。
（請求項３記載の発明）
請求項３記載のヘアカーラーは、請求項２記載のヘアカーラーにおいて、円周表面の斜め格子中に、少なくとも１箇所以上の直角補強部（１０）を備えることを特徴とする。
【０００７】
（請求項４記載の発明）
請求項４記載のヘアカーラーは、請求項３記載の円筒本体（１）の内径が５ｍｍ〜２５ｍｍである場合、突起（２）は、６０°〜１８０°毎の間隔で設けられていることを特徴とする。
（請求項５記載の発明）
請求項５記載のヘアカーラーは、請求項３記載の円筒本体（１）の内径が２５ｍｍ〜４０ｍｍである場合、突起（２）は、１５°〜６０°毎の間隔で設けられていることを特徴とする。
（請求項６記載の発明）
請求項６記載のヘアカーラーは、請求項４記載のヘアカーラーにおいて、円筒本体の一端の円周表面に雄部を設けると共に、円筒本体のもう一端の円周表面に雌部を設け、雄部側の径を雌部の径よりも小さいものとし、雌部側の円筒内に雄部の円筒を挿入すると共に、雄部が雌部内に嵌合することによって両端が接続固定され、円筒本体を輪形状にできるものとしたことを特徴とする。
【発明の効果】
【０００８】
（請求項１記載の発明の効果）
請求項１記載の発明であると、右角突起と左角突起が向かい合い髪の毛を確実に捕えるので、少ない突起数であっても（密度を下げて設けたとしても）ほどよく確実に毛髪キャッチすると共に頭からの取り外しが簡単なヘアカーラーとなる。
また、右角突起と左角突起が向かい合う為、先端が頭皮側を向かないものであるから、頭部に突起が刺さらず取り付けたまま睡眠ができるヘアカーラーとなる。
（請求項２記載の発明の効果）
請求項２記載の発明であると、通気性が良いものとなり、ドライヤーの温風などが当たりやすいものとなる。また、ヘアカーラーに弾力を持たせることができる形状となり、頭部に沿って変形することができるものとなる。
（請求項３記載の発明の効果）
補強部を備えることで、弯曲した時の過度な変形を抑制することができる。また、成型品が複数パーツであっても接続することができる。
【０００９】
（請求項４、５記載の発明の効果）
より具体的には、突起の密度を従来品よりも下げることができる。突起の密度は、径の大きさと配置角を対応させるのが好ましい。
（請求項６記載の発明の効果）
内径の小さいヘアカーラーについては輪形状（ドーナツ形状）に接続すると、ヘアピン等を用いることなく、ヘアカーラーを頭部に固定することができる。また、雄部と雌部が円筒側面に設けられているので、毛髪を挟み込む可能性が少ないものである。
輪形状（ドーナツ形状）に接続することでも頭部への固定が可能なので、突起の数をさらに減らしてもよい。
【図面の簡単な説明】
【００１０】
【図１】図１は、ヘアカーラーの全体斜視図である。
【図２】図２は、図１Ａ部分の部分拡大図である。
【図３】図３は、ヘアカーラーの全体正面図である。
【図４】図４は、ヘアカーラーの全体側面図である。
【図５】図５は、図３のＢ−Ｂ線断面図である。
【図６】図６は、ヘアカーラーの使用状態を示す説明図である。
【図７】図７は、ヘアカーラーの全体斜視図である。
【発明を実施するための形態】
【００１１】
以下にこの発明のヘアカーラーを実施例として示す各図と共に説明する。この発明に記載のヘアカーラー（hair in curlers）とは、英語ではヘアローラー（hair roller）と呼ばれる器具であり、図６の毛髪Ｈをカールさせるために用いるローラーである。ここでは、和製英語としてヘアカーラーを用いる。尚、ヘアカーラーの長さおよび径については本実施例に限定されるものではない。
【実施例１】
【００１２】
〔１．ヘアカーラーの基本的構成について〕
図１〜図４に示すように、ヘアカーラーは、円筒本体１の円周表面上に複数の突起２備えており、突起２は、右角突起２０と左角突起２１の一組からなり、図５に示すように右角突起２０の先端と左角突起２１の先端が向かい合うものである。
そして、ヘアカーラーは、円筒本体１の中央側の円周表面を斜め格子とし、円筒本体１が弯曲可能であり、円周表面の斜め格子中に、少なくとも１箇所以上の直角補強部１０を備えるものである。
また、ヘアカーラーは、円筒本体１の一端の円周表面に雄部１１を設けると共に、円筒本体１のもう一端の円周表面に雌部１２を設け、雄部１１側の径を雌部１２の径よりも小さいものとし、雌部１２側の円筒内に雄部１１の円筒を挿入すると共に、雄部１１が雌部１２内に嵌合することによって両端が接続固定され、図６に示すように円筒本体１を輪形状にできるものである。
【００１３】
〔２．円筒本体１の全体の大きさについて〕
図１〜図４に示すヘアカーラーの円筒本体１は、全長１７８ｍｍ、外径を１５ｍｍとした。
図６に示す輪形状（ドーナツ形状）で用いるヘアカーラーの場合、円筒本体１の全長を１２０ｍｍ〜２５０ｍｍとし、外径を１５ｍｍ〜３０ｍｍとするのが好ましい。
このようにすると、毛髪Ｈを巻きつけ易く、輪形状にして取り付けやすいヘアカーラーとなる。
【００１４】
〔３．円筒本体１の両端部について〕
図１〜図４に示すヘアカーラーの円筒本体１の両端は、端点から図３に示す雄部挿入長さＤ１と雌部側挿入長さＤ２分内側まで、格子状とせず円弧側面を形成している。そして、円筒本体１は、一端の円弧側面に雄部１１を備え、もう一端の円弧側面に雌部１２を備えている。円筒本体１各部の寸法は、雄部１１側の外径を１７ｍｍとし内径を１５ｍｍとし、雌部１２側の外径を１９ｍｍとし内径を１７ｍｍとし、図３に示す雄部側挿入長さＤ１を１１．５ｍｍとし雌部側挿入長さＤ２を１３．５ｍｍとし、雄部１１の高さを２ｍｍとした。雄部側挿入長さＤ１および雌部側挿入長さＤ２は、円筒本体１の全長の８％〜１５％とするのが好ましい。
雄部１１および雌部１２は、雄部挿入長さＤ１および雌部側挿入長さＤ２それぞれの略中央位置に設けることにより、挿入と共に雄部１１と雌部１２が嵌りあうことで、図６に示すドーナツ形状の固定を可能とする。
雄部１１および雌部１２の形状は、挿入方向に鋭角を備える形状が好ましく、三角形型、ハート型、スペード型、水滴型などを用いることができる。図１〜図３においてはハート型の雄部１１および雌部１２を採用したものを描いている。そして、挿入・引き抜きが簡単となると共に折り曲げる態様での取り外しが可能となる為、雌部１２の引き抜き方向には切欠き１３を設けるのが好ましい。
【００１５】
〔４．円筒本体１の斜め格子について〕
円筒本体１の両端から図３に示す雄部挿入長さＤ１と雌部側挿入長さＤ２それぞれを除いた中央部分は、樹脂を斜め格子に形成している。斜め格子とは、円筒の長手方向に対して、３０°〜８０°角度付けされた線状態樹脂と、１００°〜１５０°角付けされた線状態樹脂とが円筒側面に四角形を形成するものである。図３においては、円筒の長手方向に対して、７５°角度付けされた線状態樹脂と、１０５°角付けされた線状態樹脂とが円筒側面に四角形を形成している。格子を形成する線状樹脂の直径は１ｍｍ〜３ｍｍとするのが好ましい。
斜め格子とすることによって、ヘアカーラーを軽量化することができ、通気性が良くドライヤーの風が当たりやすいものとなる。
円筒本体１の全長から雄部挿入長さＤ１と雌部側挿入長さＤ２それぞれを引くと斜め格子部分の長さとなるので、斜め格子部分の長さは円筒本体１の全長の７０％〜８４％とするのが好ましい。
【００１６】
〔５．円筒本体１の補強部１０について〕
前述の斜め格子部分には、図３に示すように、直角補強部１０が設けられている。直角補強部１０は、円筒本体１の長手方向に対して直角となる補強部分である。直角補強部１０の寸法は、一方の直角補強部１０から他方の直角補強部１０までの長さ（図４に示す長さＥ）を８０．４ｍｍとし、斜め格子部分と同様に内径を１５ｍｍとし外径を１７ｍｍとした。
図６に示すように、円筒本体１に毛髪Ｈを巻きつけてドーナツ状に固定し円筒本体１が弯曲する場合においても、直角補強部１０を設けることにより、過度な変形を抑制することができる。また、ヘアカーラーを取り付けたまま寝る場合においても、頭部の重量によって円筒本体１が押しつぶされるのを防ぐことができる。
【００１７】
〔６．突起２の配置について〕
一方の直角補強部１０から他方の直角補強部１０間（図４に示す長さＥ位置）には、突起２が設けられている。
突起２の配置は、断面から見て６０°〜１８０°毎に設けるのが好ましい。図５においては、円筒本体１の仮想中心線Ｃを中心点として９０°毎に突起２を設けている。円筒本体１の円弧表面においては、７ｍｍ〜１５ｍｍおきに突起部２を設けるのが好ましい。
また、突起２を配置する位置は、円筒本体１の中央を中心に全長の３０％〜６０％とするのが好ましい。このように配置すると、図６の毛髪Ｈ位置に最適となる。尚、突起２の配置において、一方の直角補強部１０から他方の直角補強部１０間（図４に示す長さＥ位置）の間に限定されるものではない。
【００１８】
〔７．突起２の形状について〕
突起２は、図２および図５に示すように、右角突起２０と左角突起２１とが組み合わされている。右角突起２０および左角突起２１は、底辺となる円弧と、前記底辺の一端から延びる１/４小楕円弧と前記底辺のもう一端から延びる１/４大楕円弧とによって描かれる角型形状（ツノ型形状）である。そして、突起２は、右角突起２０先端と左角突起２１先端とを向い合せたものである。突起２の形状の具体例として、牛の角やクワガタ虫の顎などの形状を例示することができ、向かい合う２つの略Ｌ字形や略Ｊ字形も突起２の形状に該当する。
実施例１において、右角突起２０は、１ｍｍの底辺から半径２ｍｍで反時計回りの軌跡を描き、円筒本体１の円筒接線と平行になる点を先端として、前記角型形状を形成している。左角突起２１は、１ｍｍの底辺から半径２ｍｍで時計回りの軌跡を描き、円筒本体１の円筒接線と平行になる点を先端として、角型形状を形成している。
頂点位置となる右角突起２０先端と左角突起２１先端は、向かい合っており２ｍｍの隙間がある。右角突起２０先端と左角突起２１先端同士の隙間は、０．６ｍｍ〜４ｍｍとするのが好ましい。右角突起２０と左角突起２１の双方とも厚み（円筒本体１の長手方向長さ）は、０．２〜１．０ｍｍとするのが好ましい。
このようにすると、右角突起２０と左角突起２１が向かい合い髪の毛を確実に捕えるので、少ない突起数でも容易に髪の毛をキャッチすることができる。そして、少ない突起数であるから頭からの取り外しが簡単である。また、右角突起２０と左角突起２１が向かい合う為、先端が頭皮側を向かないものとなり、頭部に突起２が刺さらず取り付けたまま睡眠ができるヘアカーラーとなる。また、向かい合う右角突起２０先端と左角突起２１先端は、尖らせない形状が好ましい。尖らせない形状として、丸みを帯びた形状または鈍角形状を例示できる。
【００１９】
〔８．その他の構成について〕
上述のヘアカーラーを製造するために、円筒本体１の材料には、軟質樹脂を用いた。軟質樹脂として、軟質ポリエチレンや、軟質ポリプロピレンを例示することができる。ドライヤーの熱や、パーマ液の薬品に耐性がある軟質ポリエチレンを用いるのが好ましい。
また、このヘアカーラーは、一体成型で製造された円筒状ヘアカーラーである。具体的には、少なくとも半円弧状の２つの金型を組み合わせて円筒状とし、この金型内に前述の軟質樹脂を流し込み、金型の形状となった軟質樹脂を抜き取ることにより製造される。このようにして製造されたヘアカーラーは、図４に示す接続部３のような、パートラインが入るものとなる。
【実施例２】
【００２０】
図６に示すような使用をしない場合、円筒本体１の端部に雄部１１と雌部１２を設けることなく、図７に示す実施例２の形状とすることができる。
実施例２の円筒本体１は、直径４０ｍｍ、長さ７０ｍｍとし、直角補強部１０上に装飾部４を設けた。
そして、図６に示す輪形状で固定するものではないので、突起２のみで固定できるように、１５°〜６０°毎の間隔で突起を設けた。図７においては、４０°毎に設けている。長さに換算すると、２ｍｍ〜８ｍｍおきに突起部２を設けるのが好ましい。
また、右角突起２０先端と左角突起２１先端同士の隙間は、０．４ｍｍ〜０．９ｍｍとするのが好ましい。このようにすると、従来のヘアカーラーのように使用することが出来ると共に、実施例１で述べた突起２の特徴により、毛髪を捕まえることができる。尚、図７に示すように、突起２の左右方向（右角突起２０から左角突起２１までの直線方向）を円周方向に対して２０°〜５０°角度づけしたヘアカーラーとすると、巻きつけた毛髪を取り外すのがより簡単なものとなり、好ましい。
【符号の説明】
【００２１】
Ｃ      仮想中心線
Ｄ１      雄部側挿入長さ
Ｄ２      雌部側挿入長さ
Ｅ      一方の直角補強部１０から他方の直角補強部１０までの長さ
１      円筒本体
１０    直角補強部
１１    雄部
１２    雌部
１３    切欠き
２      突起
２０    右角突起
２１    左角突起
３      接続部
４      装飾部
【図１】
2017006397.tif 000003
【図２】
2017006397.tif 000004
【図３】
2017006397.tif 000005
【図４】
2017006397.tif 000006
【図５】
2017006397.tif 000007
【図６】
2017006397.tif 000008
【図７】
2017006397.tif 000009